(57)【要約】固体の医薬品を分配する改良されたシステムおよび方法は、多量のブリスターパッケージング材料から用量を直接的に移す。実施形態は、デブリスター装置の部分間の間隔を変更する位置決めメカニズムを備えている。デブリスター装置は、デブリスターローラ、円筒、または細長い円筒形の鋸歯状歯車を備え、該デブリスターローラ、円筒、または細長い円筒形の鋸歯状歯車は、パッケージング材料の第１の側を押して、従来のブリスターパッケージから個々の用量を取り外す。装置は、手動制御または自動制御で動作し得、そして、好適には、調節可能なパッケージ保持ローラを含み、該調節可能なパッケージ保持ローラは、好適には、上記ローラまたは円筒が位置を定められている側と反対のパッケージング材料の側においてブリスター空洞の列の間のパッケージング材料の部分と整列される。【特許請求の範囲】
【請求項１】
ブリスターパッケージの中に含まれた固体の製品を押し出すためのシステムであって、
筐体の中に固定された第１の回転するデブリスター部材と、
該第１の回転するデブリスター部材に隣接して回転可能に固定された、間隔を置かれた複数のパッケージ保持ローラまたは歯車部材と
を備えている、システム。
【請求項２】
前記第１の回転するデブリスター部材は、細長い鋸歯状歯車である、請求項１に記載の、ブリスターパッケージの中に含まれた固体の製品を押し出すためのシステム。
【請求項３】
前記間隔を置かれた複数のパッケージ保持ローラまたは歯車部材は、前記第１の回転するデブリスター部材に沿って横方向に変移することができる、請求項１に記載の、ブリスターパッケージの中に含まれた固体の製品を押し出すためのシステム。
【請求項４】
カム部材の動きが、前記間隔を置かれた複数のパッケージ保持ローラまたは歯車部材を横方向に変移させる、請求項３に記載の、ブリスターパッケージの中に含まれた固体の製品を押し出すためのシステム。
【請求項５】
前記第１の回転するデブリスター部材に固定されたハンドクランクをさらに備えている、請求項１に記載の、ブリスターパッケージの中に含まれた固体の製品を押し出すためのシステム。
【発明の詳細な説明】
【技術分野】
【０００１】
本発明は、概して、薬剤分配システムおよび方法の分野に関する。さらに詳細には、本発明は、固体の医薬薬剤および機能性食品をブリスターパッケージから迅速に取り外すためのシステムおよび方法に関する。
【背景技術】
【０００２】
本発明は、固体の医薬品をブリスターパッケージから取り外すための従来技術のシステムおよび方法の欠点および欠陥を克服し、そして、所与の時間において空にされ得るブリスターパッケージの数を実質的に増加させるシステムおよび方法に関する。
【０００３】
薬物療法の分野において、ここ数年にわたって、あらゆる特定の病気を治療するために２つ以上の医薬製品を利用する治療の数が増加している。さらに、世界人口が高齢化するにつれ、より多くの患者が、複数の病気または疾患を治療するために、毎日、複数の薬剤を服用している。それに応じて、適切な用量の薬剤が、適切な時刻に服用されるということを確実にするために、時刻毎および／または曜日毎に薬剤を整理するために、様々な形態のパッケージングが、開発されている。
【０００４】
ほとんどの場合において、個人が、医師から１つ以上の処方箋を受け取り、そして、薬局が、あつらえの医薬品パッケージと時には呼ばれる単一の容器の空洞の中に適切に分配された各薬剤の所定の供給量を提供する。容器またはパッケージの各空洞は、患者が、医師によって処方された期間全体にわたって適切な薬剤および用量を服用することを確実にするために、異なる日または時刻に関してラベル付けされている。したがって、個人が、所与の日全体にわたって多くの医薬製品を服用することを要求されるときには、個人は、適切な用量の薬剤を手に取るために、単に適切な個々の空洞にアクセスするだけである。
【０００５】
かかるパッケージの例としては、容器は、ｘ方向とｙ方向とに分割されて複数の個々の空洞になる。ｘ方向のラベルは、例えば、曜日「月曜日、火曜日、水曜日」などである。ｙ方向のラベルは、例えば、「午前、午後、夕方、就寝時」などである。
【０００６】
薬局がこれらのパッケージを充填するのを助けるために、自動システムが、開発されており、該自動システムは、ばらの供給量からそれぞれの容器の中に個々の用量を分散させる。
【０００７】
しかしながら、全ての薬物が個々のブリスターパッケージで販売されること、そして、分配されることを必要とするイギリスなどの国々において、問題が生じている。結果として、ばらの供給量を形成するために、ブリスターパックから各薬剤を最初に手で取り外すことなくかかる自動パッケージングデバイスを利用することが、可能ではない。かかる欠点は、装置の有用性を減少させ、そして、不利益なことに、これらの地域におけるデバイスの販売の低下をもたらしている。したがって、当該分野において、特定の患者のニーズに従って、あつらえの医薬品パッケージの空洞の中にブリスターパックから薬物の用量を直接的に移す改良された医薬品分配デバイスに対して、必要性が、依然として存在している。
【０００８】
従来の１つの解決策は、以前に出願され公開された特許文献１に記述されており、該特許文献１は、本明細書において参考として援用される。本出願は、個々のブリスターパッケージが、プランジャメカニズムの使用によって空にされる、以前の技術を記述しており、該プランジャメカニズムは、ブリスター空洞に対して機械的に押されることにより、固体の医薬製品を押し出す。この従来の手法に関する１つの欠点および欠陥は、このメカニズムによって達成される限られたスループットである。この従来の手法において、システムのオペレータは、所与の時間において単一のブリスターパッケージから固体の製品を押し出すだけである。この手法は、従来技術を上回って改善されたが、より速い処理速度が、依然として望まれている。したがって、ブリスターパッケージの空洞から固体の医薬製品および機能性食品製品をより迅速に押し出すことによって、より大きなスループットを達成することができる改良された新たなシステムおよび方法に対して、必要性が、依然として存在している。
【０００９】
本発明の他の目的および利点は、以下の概要と本開示の好適な実施形態の詳細な記述とを鑑みると明らかになる。
【先行技術文献】
【特許文献】
【００１０】
【特許文献１】米国特許出願公開第２００６／０２７７８７０号明細書
【発明の概要】
【課題を解決するための手段】
【００１１】
本発明は、複数のブリスターパッケージ空洞から固体の医薬製品および機能性食品製品を迅速に押し出すためのシステムおよび方法に関する。
【００１２】
本発明の第１の好適な例示的実施形態に従って、薬剤分配システムおよび方法は、デブリスター（ｄｅ−ｂｌｉｓｔｅｒ）装置を利用し、該デブリスター装置は、ブリスターパックから個々の用量を取り外すための機械的構造を組み込んでいる。デブリスター装置は、好適には、デブリスターローラ、円筒、または細長い円筒形の鋸歯状歯車で構成され、該デブリスターローラ、円筒、または細長い円筒形の鋸歯状歯車は、パッケージング材料の第１の側を押して、従来のブリスターパッケージから個々の用量を取り外す。
【００１３】
好適な例示的実施形態において、本発明は、位置決めメカニズムを備え、該位置決めメカニズムは、デブリスター装置の部分間の間隔を変更する。装置は、手動制御または自動制御で動作し得、そして、好適には、調節可能または可動なパッケージ保持ローラまたは歯車部材を含み、該調節可能または可動なパッケージ保持ローラまたは歯車部材は、好適には、ローラまたは円筒が位置を定められている側と反対のパッケージング材料の側においてブリスター空洞の列の間のパッケージング材料の部分と整列される。デブリスター装置は、ブリスター空洞から固体の医薬製品または機能性食品製品の迅速な取り外しを可能にし、そして、異なるサイズのパッケージング材料を収容するためにデバイスを変更するための便利なメカニズムを提供する。
【００１４】
デブリスターローラ、円筒、または細長い円筒形の鋸歯状歯車が、パッケージング材料の第１の側を押して、従来のブリスターパッケージから個々の用量を取り外す。好適には、デブリスターローラ、円筒、または細長い円筒形の鋸歯状歯車が、ブリスターパッケージ空洞をシーリングする材料を通って個体の医薬製品または機能性食品製品を押すことによってブリスターパッケージ空洞から外れるように個体の医薬製品または機能性食品製品を押しやるために、実際のブリスター部材に対して押す。調節可能または可動なパッケージ保持ローラまたは歯車部材は、好適には、デブリスターローラ、円筒、または細長い円筒形の鋸歯状歯車が位置を定められている側と反対のパッケージング材料の側においてブリスター空洞の列の間のパッケージング材料の部分と整列される。調節可能または可動なパッケージング保持ローラまたは歯車部材が、パッケージを固定し、動かす目的、およびデブリスターローラ、円筒、または細長い円筒形の鋸歯状歯車をパッケージング材料の第１の側に対して押して従来のブリスターパッケージから個々の用量を取り外すということを確実にする目的のために提供される。
【００１５】
ハンドクランクまたはモータが、デブリスターローラ、円筒、または細長い円筒形の鋸歯状歯車を駆動し、そして、デブリスターローラ、円筒、または細長い円筒形の鋸歯状歯車と、調節可能または可動なパッケージ保持ローラまたは歯車部材との間にパッケージング材料を押し付けるために提供される。好適な例示的実施形態に従って、デブリスターローラ、円筒、または細長い円筒形の鋸歯状歯車は、好適には、調節可能または可動なパッケージ保持ローラまたは歯車部材の対応する歯車と係合する歯を有する。これらの回転体間へのパッケージング材料の配置が、パッケージング材料を構造の間に押し付け、それにより、ブリスターパッケージ空洞から錠剤を押し出す。好適には、ブリスターパッケージ空洞から取り外された固体の医薬製品または機能性食品製品を便利に受け入れ、そして、一時的に格納するために、トレイが、錠剤が押し出す場所の下に提供される。
【００１６】
発明の好適な実施形態において、調節可能または可動なパッケージ保持ローラまたは歯車部材間の横方向の間隔は、固体の医薬品または機能性食品デブリスターメカニズムが、様々な異なるブリスターパッケージを収容するように変更され得、ここで、ブリスターパッケージ空洞の列間の間隔は、異なっている。本発明の好適な１つの実施形態において、バレルカムが提供され、そして、バレルカムの回転が、複数のフィンガ間の間隔を変更し、該複数のフィンガのそれぞれが、調節可能または可動なパッケージ保持ローラまたは歯車部材のうちの１つと接触している。バレルカムは、便利なことに、ノブを用いて手で回転され得るか、あるいは、モータが提供され得る。調節可能または可動なパッケージ保持ローラまたは歯車部材のうちの１つとそれぞれが接触している複数のフィンガ間の間隔をバレルカムを用いて調節することが、結果として、調節可能または可動なパッケージ保持ローラまたは歯車部材間の間隔をも調節している。
【００１７】
調節可能または可動なパッケージ保持ローラまたは歯車部材をブリスターパッケージ空洞の間の列の位置に定めることが、パッケージ材料が、デブリスターローラ、円筒、または細長い円筒形の鋸歯状歯車と、調節可能または可動なパッケージ保持ローラまたは歯車部材との間に固定されながら、これらの固体の医薬品または機能性食品が、ブリスターパッケージ空洞のシーリング部分を通って便利に押し出すことをも可能にするということを確実にする。
【００１８】
代替の実施形態において、プレートカムが、調節可能または可動なパッケージ保持ローラまたは歯車部材のうちの１つとそれぞれが接触している複数のフィンガ間の横方向の間隔を変更し、それにより、調節可能または可動なパッケージ保持ローラまたは歯車部材間の間隔をも調節するという同じ目的のために利用され得る。
【図面の簡単な説明】
【００１９】
【図１】図１は、本発明のブリスターパッケージ製品押出メカニズムに関する第１の例示的実施形態を例示している。
【図２】図２は、本発明の好適な例示的実施形態に従ったバレルカムと調節フィンガとの間の相互作用を例示している。
【図３】図３は、本発明の好適な例示的実施形態に従ったバレルカムと調節フィンガとの間の相互作用を例示している。
【図４】図４は、本発明の好適な例示的実施形態に従ったプレートカムと調節フィンガとの間の相互作用を例示している。
【図５】図５は、本発明の好適な例示的実施形態に従ったバレルカムと調節フィンガとの間の相互作用を例示している。
【図６】図６は、調節フィンガと、調節可能または可動なパッケージ保持ローラまたは歯車部材との間の相互作用を例示している。
【図７】図７は、本発明の好適な例示的実施形態の切欠図である。
【発明を実施するための形態】
【００２０】
図１は、本発明の第１の好適な例示的実施形態を例示しており、該実施形態は、概略的に１０で示されている。第１の好適な例示的実施形態に従って、筐体１２が、例示的実施形態の実装の際に利用される機械構造を固定するために提供される。図１に例示に示されるように、ブリスターパッケージ１４は、行と列とに配置された複数のパッケージ空洞を有する。横方向の構造支持体１６、１７が、空間を提供し、該空間の間に、製品のパッケージキャビティが供給される。横方向の構造支持体１６、１７はまた、より低い抵抗でパッケージ１４を便利に通過させるためにローラとして体現され得る。
【００２１】
ハンドクランク２２は、好適には、デブリスターローラ、円筒、または細長い円筒形の鋸歯状歯車２４を回転させ、該デブリスターローラ、円筒、または細長い円筒形の鋸歯状歯車２４は、好適には、調節可能または可動なパッケージ保持ローラまたは歯車部材の対応する歯と係合する歯を有する（該調節可能または可動なパッケージ保持ローラまたは歯車部材は、この図には見られず、後で記述される）。ノブ２６が、以下でさらに詳細に記述されるように、調節可能または可動なパッケージ保持ローラまたは歯車部材間の間隔を変更するように使用される。ノブ２６の回転は、有利なことに、好適にはパッケージ１４のブリスターパッケージ空洞の垂直方向の列の間における空間に対応する場所に、調節可能または可動なパッケージ保持ローラまたは歯車部材を配置する。
【００２２】
デブリスターローラ、円筒、または細長い円筒形の鋸歯状歯車２４は、パッケージ１４のブリスターパッケージ空洞を押し、それにより、医薬製品または機能性食品を空洞から押し出す。固体の医薬製品または機能性食品は、パッケージングから離れて、スライド２８を下り、開口部３０を通ってトレイ３２の中に落ち、該トレイ３２は、便利なことに、パッケージ１４から押し出されたこれらの固体の医薬製品および機能性食品を捕獲し、一時的に格納する。
【００２３】
図２は、以下でさらに詳細に記述されるように、調節可能または可動なパッケージ保持ローラまたは歯車部材間の間隔を変更するために使用される内部構造の第１の好適な例示的実施形態を例示している。この構造は、概略的に、４０で示されている。図２の例示に示されているように、バレルカム４２は、回転軸に固定され、該回転軸は、上記のノブ２６によって回転させられる。横方向の支持体４７、４８は、複数のフィンガ４６を固定し、該複数のフィンガ４６は、以下で記述される調節可能または可動なパッケージ保持ローラまたは歯車部材の横方向の位置を調節する際に使用される。図２の例示は、間隔を置かれた配置でフィンガ４６を示している。当業者は、バレルカム４２の回転が、バレルカム４２上の対応するスロット４３を係合する各フィンガ４６に固定された少なくとも１つの歯または突起との相互作用の結果として、フィンガ４６の横方向の間隔の変化をもたらすということを理解する。
【００２４】
図３の例示は、フィンガ４６を示しており、ここで、それらは、バレルカムのスロット４３と、フィンガ４６の歯または突出部材との相互作用を介したバレルカムの回転によって共に動かされている。図４は、本発明の代替の好適な例示的実施形態を例示しており、ここで、概略的に５０で示されているように、代替のカム部材が、利用されている。この代替の好適な例示的実施形態において、プレートカム５２は、複数のスロット５３を有し、該複数のスロット５３は、横方向の支持体５４、５５に可動に固定されたフィンガ５６の基部と係合する。スロット５３間の間隙の増加は、プレートカム５２の動きが、フィンガ５６間の間隔を変更することを可能にする。図４の例示は、間隔を置かれた関係でフィンガ５６を示している。図５の例示は、この代替の例示的実施形態のフィンガ５６を示しており、ここで、フィンガは、フィンガ５６とプレートカム５２との間の相対的変移の結果として、共に動かされている。
【００２５】
図６は、デブリスターローラ、円筒、または細長い円筒形の鋸歯状歯車２４と、調節可能または可動なパッケージ保持ローラまたは歯車部材６６との間の相互作用を例示している切欠図である。図６の例示は、調節可能または可動なパッケージ保持ローラまたは歯車部材６６のうちの２つだけを示している。当業者は、ブリスターパッケージ空洞の各垂直方向の列間に少なくとも１つの調節可能または可動なパッケージ保持ローラまたは歯車部材６６を有することが好ましいということと、縁の列のそれぞれの側に１つの調節可能または可動なパッケージ保持ローラまたは歯車部材６６を有することがまた好ましいということとを理解する。この配置は、固体の製品が、ブリスターパッケージキャビティを押し、そして、それにより、ブリスターパック空洞のシーリング部分を通って固体の製品を押す、デブリスターローラ、円筒、または細長い円筒形の鋸歯状歯車２４によって押し出され得るということを確実にする。
【００２６】
図６は、回転可能なハンドクランク２２を例示しており、該回転可能なハンドクランク２２は、代替的に、デブリスターローラ、円筒、または細長い円筒形の鋸歯状歯車２４を回転させるためのモータ駆動装置と置換され得る。デブリスターローラ、円筒、または細長い円筒形の鋸歯状歯車２４は、好適には、調節可能または可動なパッケージ保持ローラまたは歯車部材６６の対応する歯を係合する歯を有する。これらの部材のそれぞれの歯が、パッケージを係合し、そして、いずれかの部材の回転が、他方の回転と、それらの間のパッケージの動きをもたらす。製品のパッケージが、デブリスターローラ、円筒、または細長い円筒形の鋸歯状歯車２４と、調節可能または可動なパッケージ保持ローラまたは歯車部材６６との間で動くと、デブリスターローラ、円筒、または細長い円筒形の鋸歯状歯車２４は、ブリスターパッケージ空洞を押し、それにより、固体の製品をパッケージ空洞から押しやる。
【００２７】
図６はまた、ピンまたは突起６１との相互作用によって横方向に動かされる調節可能なフィンガ４６と、バレルカム４２のスロット４３との間の関係を例示している。調節可能または可動なパッケージ保持ローラまたは歯車部材６６と係合しているフィンガ４６の横方向の変移が、これらの部材に、フィンガ４６間の間隔に対応する間隔を同様に変更させる。この例示には、対応する調節可能または可動なパッケージ保持ローラまたは歯車部材６６が、２つだけ示されているが、各フィンガ４６が、対応する調節可能または可動なパッケージ保持ローラまたは歯車部材６６を有するということが、理解されるべきである。当業者は、バレルカムまたはプレートカムに対する必要性を排除することが望ましい場合には、調節可能または可動なパッケージ保持ローラまたは歯車部材６６は、軸上に位置を定めされた固定されたパッケージ保持ローラまたは歯車部材と置換され得るということを理解する。かかる実施形態において、軸は、単に、筐体に取り外し可能に据え付けられ、軸上の各パッケージ保持ローラまたは歯車部材の固定された間隔は、空にされるパッケージに対応している。Ｍｅｅｋｅｒが提供した複数の軸のそれぞれが、軸上のパッケージ保持部材または歯車部材間に異なる固定された距離を有する。ローラおよび歯車部材のそれぞれが、アルミニウムなどの機械加工された金属、ゴム、または硬いプラスチックから形成され得る。
【００２８】
図７は、図１に描かれたメカニズムの好適な実施形態の切欠図である。この例示に示されているように、ハンドクランク２２は、デブリスターローラ、円筒、または細長い円筒形の鋸歯状歯車２４を回転させ、該デブリスターローラ、円筒、または細長い円筒形の鋸歯状歯車２４は、好適には、調節可能または可動なパッケージ保持ローラまたは歯車部材６６を係合する。ノブ２６は、バレルカム４２を回転させて、横方向支持体４７、４８に固定されたフィンガ４６を横方向に変移させる。調節可能または可動なパッケージ保持ローラまたは歯車部材６６と係合するフィンガ４６の変移が、これらの部材を横方向に変移させる。
【００２９】
当業者は、デブリスターローラ、円筒、または細長い円筒形の鋸歯状歯車２４を駆動するハンドクランクまたはモータが、代替的に、上記の実施形態において、固定されたパッケージ保持ローラまたは歯車部材を回転させるために使用され得るということを理解し、ここで、調節可能または可動なパッケージ保持ローラまたは歯車部材６６は、バレルカムが必要とされないように置換されている。この代替の実施形態は、単に、回転駆動力の場所を変えただけである。
【図１】
2010524582.tif 000002
【図２】
2010524582.tif 000003
【図３】
2010524582.tif 000004
【図４】
2010524582.tif 000005
【図５】
2010524582.tif 000006
【図６】
2010524582.tif 000007
【図７】
2010524582.tif 000008
【手続補正書】
【提出日】平成21年12月4日(2009.12.4)
【手続補正１】
【補正対象書類名】明細書
【補正対象項目名】００１８
【補正方法】変更
【補正の内容】
【００１８】
代替の実施形態において、プレートカムが、調節可能または可動なパッケージ保持ローラまたは歯車部材のうちの１つとそれぞれが接触している複数のフィンガ間の横方向の間隔を変更し、それにより、調節可能または可動なパッケージ保持ローラまたは歯車部材間の間隔をも調節するという同じ目的のために利用され得る。
（項目１）
ブリスターパッケージの中に含まれた固体の製品を押し出すためのシステムであって、
筐体の中に固定された第１の回転するデブリスター部材と、
該第１の回転するデブリスター部材に隣接して回転可能に固定された、間隔を置かれた複数のパッケージ保持ローラまたは歯車部材と
を備えている、システム。
（項目２）
前記第１の回転するデブリスター部材は、細長い鋸歯状歯車である、項目１に記載の、ブリスターパッケージの中に含まれた固体の製品を押し出すためのシステム。
（項目３）
前記間隔を置かれた複数のパッケージ保持ローラまたは歯車部材は、前記第１の回転するデブリスター部材に沿って横方向に変移することができる、項目１に記載の、ブリスターパッケージの中に含まれた固体の製品を押し出すためのシステム。
（項目４）
カム部材の動きが、前記間隔を置かれた複数のパッケージ保持ローラまたは歯車部材を横方向に変移させる、項目３に記載の、ブリスターパッケージの中に含まれた固体の製品を押し出すためのシステム。
（項目５）
前記第１の回転するデブリスター部材に固定されたハンドクランクをさらに備えている、項目１に記載の、ブリスターパッケージの中に含まれた固体の製品を押し出すためのシステム。
【手続補正２】
【補正対象書類名】特許請求の範囲
【補正対象項目名】全文
【補正方法】変更
【補正の内容】
【特許請求の範囲】
【請求項１】
ブリスターパッケージの中に含まれた固体の製品を押し出すためのシステムであって、
筐体に固定された第１の回転するデブリスター部材と、
軸支持体上で該第１の回転するデブリスター部材に隣接して回転可能に固定された、間隔を置かれた複数のパッケージ保持ローラまたは歯車部材と
を含み、
該ブリスターパッケージは、該第１の回転するデブリスター部材と該間隔を置かれた複数のパッケージ保持部材との間に固定され、該間隔を置かれた複数のパッケージ保持部材はさらに、該パッケージ保持部材の隣どうしの距離が、空にされるべき該ブリスターパッケージのブリスターキャビティーの列の間の間隔に対応して変更され得るように、該軸支持体が該筐体に固定されている間に、該軸支持体を横切って横方向に変移することが可能である、システム。
【請求項２】
前記第１の回転するデブリスター部材は、細長い鋸歯状歯車である、請求項１に記載の、ブリスターパッケージの中に含まれた固体の製品を押し出すためのシステム。
【請求項３】
カム部材の動きが、前記間隔を置かれた複数のパッケージ保持部材を横方向に変移させる、請求項１に記載の、ブリスターパッケージの中に含まれた固体の製品を押し出すためのシステム。
【請求項４】
前記第１の回転するデブリスター部材に固定されたハンドクランクをさらに備えている、請求項１に記載の、ブリスターパッケージの中に含まれた固体の製品を押し出すためのシステム。
【請求項５】
ブリスターパッケージの中に含まれた固体の製品を押し出すための方法であって、
筐体に固定された回転するデブリスター部材と、第１の回転するデブリスター部材に隣接して回転可能に固定された、間隔を置かれた複数のパッケージ保持部材とを提供することであって、該間隔を置かれた複数のパッケージ保持部材は軸支持体に取り付けられている、ことと、
該ブリスターパッケージを該第１の回転するデブリスター部材と該間隔を置かれた複数のパッケージ保持部材との間で移動させ、それによって、該ブリスターパッケージの中に含まれた固体の製品を押し出すことと、
該パッケージ筐体部材の隣どうしの距離が、空にされるべき該ブリスターパッケージのブリスターキャビティーの列の間の間隔に対応して変更されるように、該軸支持体が該筐体に固定されている間、該間隔を置かれた複数のパッケージ保持部材を、該軸支持体を横切って横方向に変移させることと
を含む、方法。
【請求項６】
第１の回転するデブリスター部材は、細長い鋸歯状歯車である、請求項５に記載の、ブリスターパッケージの中に含まれた固体の製品を押し出すための方法。
【請求項７】
カム部材の動きが、前記間隔を置かれた複数のパッケージ保持部材を横方向に変移させる、請求項５に記載の、ブリスターパッケージの中に含まれた固体の製品を押し出すための方法。
【請求項８】
前記第１の回転するデブリスター部材に固定されたハンドクランクを回転させ、それによって、該ブリスターパッケージを該回転するデブリスター部材と該間隔を置かれた複数のパッケージ保持部材との間で移動させることをさらに含む、請求項５に記載の、ブリスターパッケージの中に含まれた固体の製品を押し出すための方法。
【国際調査報告】
2010524582.tif 000009